(57)【要約】【課題】木本植物等の種を混入した第１植生基材と、草本植物の種を混入した第２植生基材とを区分けして吹き付けて、木本植物等の生育を促進可能な植生区画緑化工法及びそれに用いる植生区画体並びに植生区画緑化構造を提供する。【解決手段】第１植生基材１７を収容可能な収容部を有する植生区画体１６を前後左右に相互に間隔をあけて緑化基盤Ｂの上面に対して固定設置する設置工程と、植生区画体１６の収容部１６ａ内に第１植生基材１７を吹き付ける第１吹き付け工程と、植生区画体１６の収容部１６ａを蓋体１９で閉蓋する閉蓋工程と、植生区画体１６が埋設されないように緑化基盤Ｂの上面に第２植生基材１８を吹き付ける草本吹き付け工程と、草本植生基材１８の吹き付け後に、植生区画体１６の蓋体１９を外して第１植生基材１７を露出させる蓋除去工程とを備えた。【選択図】        図１
2008057288.tif 000002
【特許請求の範囲】
【請求項１】
第１植生基材を収容可能な収容部を有する植生区画体を前後左右に相互に間隔をあけて施工面に対して固定設置する設置工程と、
前記植生区画体の収容部内に第１植生基材を吹き付ける第１吹き付け工程と、
前記植生区画体の収容部を蓋体で閉蓋する閉蓋工程と、
前記植生区画体が埋設されないように施工面上に第２植生基材を吹き付ける第２吹き付け工程と、
前記第２植生基材の吹き付け後に、植生区画体の蓋体を外して第１植生基材を露出させる蓋除去工程と、
を備えたことを特徴とする植生区画緑化工法。
【請求項２】
前記植生区画体を枠体で構成した請求項１記載の植生区画緑化工法。
【請求項３】
前記植生区画体として、４本のフレームと、これら４本のフレームを方形状に連結するヒンジとを備え、方形な枠状となした展開姿勢と、フレームを重ね合わせた折畳姿勢とに切り替え可能となしものを用いた請求項２記載の植生区画緑化工法。
【請求項４】
前記隣接するフレームの端部に嵌合して、植生区画体を展開姿勢に保持する固定具を着脱自在に設け、この固定具をアンカーピンで施工面に固定して、植生区画体を施工面に固定設置した請求項３記載の植生区画緑化工法。
【請求項５】
前記第１植生基材で生育した植物の根が植生区画体の収容部外へ伸びるように、植生区画体に貫通孔及び／又は切欠部を形成した請求項１〜４のいずれか記載の植生区画緑化工法。
【請求項６】
第１植生基材と第２植生基材とを区画して施工面に対して吹き付け施工する際に、両植生基材の境界部における施工面上に固定設置する植生区画体であって、４本のフレームと、これら４本のフレームを方形状に連結するヒンジとを備え、方形な枠状となした展開姿勢と、フレームを重ね合わせた折畳姿勢とに切り替え可能となした植生区画体。
【請求項７】
前記隣接するフレームの端部に嵌合して植生区画体を展開姿勢に保持する固定具を着脱自在に設け、この固定具をアンカーピンで施工面に固定して、植生区画体を施工面に固定設置する請求６記載の植生区画体。
【請求項８】
前記第１植生基材で生育した植物の根が植生区画体の収容部外へ伸びるように、植生区画体に貫通孔及び／又は切欠部を形成した請求項６又は７記載の植生区画体。
【請求項９】
前後左右に相互に間隔をあけて施工面に対して設置された植生区画体の収容部内に第１植生基材が吹き付け施工され、植生区画体の外側において施工面上に第２植生基材が吹き付け施工されたことを特徴とする植生区画緑化構造。
【請求項１０】
前記植生区画体として、４本のフレームと、これら４本のフレームを方形状に連結するヒンジとを備え、方形な枠状となした展開姿勢と、フレームを重ね合わせた折畳姿勢とに切り替え可能となしたものを用いた請求項９記載の植生区画緑化構造。
【請求項１１】
前記隣接するフレームの端部に嵌合して植生区画体を展開姿勢に保持する固定具を着脱自在に設け、この固定具をアンカーピンで施工面に固定して、植生区画体を施工面に固定設置した請求項１０記載の植生区画緑化構造。
【請求項１２】
前記第１植生基材で生育した植物の根が植生区画体の収容部外へ伸びるように、植生区画体に貫通孔及び／又は切欠部を形成した請求項９〜１１のいずれか１項記載の植生区画緑化構造。
【発明の詳細な説明】
【技術分野】
【０００１】
本発明は、傾斜地等の施工面に対して草本植物と木本植物とを区分けして生育させるのに好適な植生区画緑化工法及びそれに用いる植生区画体並びに植生区画緑化構造に関する。
【背景技術】
【０００２】
コンクリ−トやモルタル等を打設して強化した法面や硬質岩盤面などの傾斜地を緑化するための緑化工法として、緑肥と、木質破砕材と、植物種子とを混合してなる植生基材を、傾斜地に対して吹き付け施工する緑化工法が広く実施されている。
【０００３】
植物種子としては、木本植物の種子や草本植物の種子が混合されるが、木本植物の種子は草本植物の種子と比較して、発芽、生育が遅いため、先に生育した草本植物に被圧されて、木本植物の生育が阻害されるという問題があった。
【０００４】
そこで、法面に草本植物の種子を混合した草本植生基材を吹き付けた後、その表面或いは無吹付部に、パッチ状、縦縞状或いは帯状に点在または線在させて木本植物の種を混合した木本植生基材を吹き付け施工するように構成した緑化工法も提案されている（例えば、特許文献１参照。）。
【０００５】
【特許文献１】特開平１１−１２４８５５号公報
【発明の開示】
【発明が解決しようとする課題】
【０００６】
前記植生基材の吹き付け作業は、吹き付け用のホースの先端を法面上に引き込んで、人手によりノズル操作しながら、植生基材を吹き付け施工しているが、人手による作業であることから、どうしても隣接して吹き付け施工した木本植生基材間の間隔が変動したり、木本植生基材の吹き付け面積や吹き付け量にバラツキが発生したりするとともに、木本植生基材の吹き付け時にその付近の草本植生基材が飛散して木本植生基材の吹き付け領域内に入り込み、該領域内において草本植物が生育することで、木本植物の生育が阻害されるという問題があった。
【０００７】
本発明の目的は、木本植物や自生種や花や貴重種や絶滅危惧種などの第１植物の種を混入した第１植生基材と草本植物の種を混入した第２植生基材とを区分けして吹き付けるとともに、第１植生基材の吹き付け位置や吹き付け面積などのバラツキを少なくして、第１植物の生育を促進可能な植生区画緑化工法及びそれに用いる植生区画体並びに植生区画緑化構造を提供することである。
【課題を解決するための手段】
【０００８】
本発明に係る植生区画緑化工法は、第１植生基材を収容可能な収容部を有する植生区画体を前後左右に相互に間隔をあけて施工面に対して固定設置する設置工程と、前記植生区画体の収容部内に第１植生基材を吹き付ける第１吹き付け工程と、前記植生区画体の収容部を蓋体で閉蓋する閉蓋工程と、前記植生区画体が埋設されないように施工面上に第２植生基材を吹き付ける第２吹き付け工程と、前記第２植生基材の吹き付け後に、植生区画体の蓋体を外して第１植生基材を露出させる蓋除去工程とを備えたものである。
【０００９】
この植生区画緑化工法では、植生区画体の収容部に第１植生基材を吹き付け施工した後、植生区画体を蓋体で閉蓋した状態で、第２植生基材を吹き付けるので、第１植生基材に対して第２植生基材が混ざることを確実に防止できる。このため、第１植生基材に木本植物や自生種や花や貴重種や絶滅危惧種などの第１植物の種を混入したり、第１植生基材として現地の森林土を用いたり、第１植生基材に第１植物の苗木を植栽したりし、第２植生基材に草本植物の種を混入することで、第１植物が生育する植生区画体の内側の領域と、草本植物が生育する植生区画体の外側の領域とを確実に区分けできる。また、植生区画体を施工面の適正な位置に固定設置することで、第１植物を適正な間隔をあけて生育できる。しかも、植生区画体の収容部に第１植生基材を吹き付けるので、収容部の開口面積及び深さを適正に設定することで、第１植生基材の吹き付け面積及び吹き付け深さを適正に設定できる。そして、このように草本植物と第１植物とを適正に区分けして播種又は植栽できるので、生育の早い草本植物に被圧されて第１植物の生育が阻害されるという不具合を効果的に防止することが可能となる。
【００１０】
ここで、前記植生区画体を枠体で構成することが、好ましい実施の形態である。植生区画体を有底な箱状に構成することも可能ではあるが、底板により第１植物の根が伸び難くなるので、枠体で構成することが好ましい。しかも、前記植生区画体として、４本のフレームと、これら４本のフレームを方形状に連結するヒンジとを備え、方形な枠状となした展開姿勢と、フレームを重ね合わせた折畳姿勢とに切り替え可能となしものを用いると、折畳姿勢にすることで、植生区画体の輸送や保管のためのスペースを少なくでき、しかも植生区画体を施工面へ運び入れて固定設置する際にも、嵩張らないので、施工性を向上できる。また、前記隣接するフレームの端部に嵌合して、植生区画体を展開姿勢に保持する固定具を着脱自在に設け、この固定具をアンカーピンで施工面に固定して、植生区画体を施工面に固定設置すると、簡単な構成の固定具により植生区画体を施工面に対して容易に且つ確実に固定設置することが可能となる。
【００１１】
前記植生区画緑化工法において、前記第１植生基材で生育した植物の根が植生区画体の収容部外へ伸びるように、植生区画体に貫通孔及び／又は切欠部を形成することも好ましい実施の形態である。このように構成すると、第１植生基材で生育した第１植物の生育を一層促進することができる。
【００１２】
本発明に係る植生区画体は、第１植生基材と第２植生基材とを区画して施工面に対して吹き付け施工する際に、両植生基材の境界部における施工面上に固定設置する植生区画体であって、４本のフレームと、これら４本のフレームを方形状に連結するヒンジとを備え、方形な枠状となした展開姿勢と、隣接するフレームを重ね合わせて折り畳んだ折畳姿勢とに切り替え可能となしたものである。
【００１３】
この植生区画体では、これを折畳姿勢にすることで、植生区画体の輸送や保管のためのスペースを少なくでき、しかも植生区画体を施工面へ運び入れて固定設置する際にも、嵩張らないので、施工作業を効率的に行うことができる。
【００１４】
ここで、前記植生区画体において、前記隣接するフレームの端部に嵌合して植生区画体を展開姿勢に保持する固定具を着脱自在に設け、この固定具をアンカーピンで施工面に固定して、植生区画体を施工面に固定設置すること、前記第１植生基材で生育した植物の根が植生区画体の収容部外へ伸びるように、植生区画体に貫通孔及び／又は切欠部を形成すること、などが好ましい実施の形態である。
【００１５】
本発明に係る植生区画緑化構造は、前後左右に相互に間隔をあけて施工面に対して設置された植生区画体の収容部内に第１植生基材が吹き付け施工され、植生区画体の外側において施工面上に第２植生基材が吹き付け施工されたものである。
【００１６】
この植生区画緑化構造では、植生区画体により、その内側に吹き付け施工された第１植生基材と、その外側に吹き付け施工された第２植生基材とが、明確に区画された状態に施工されることになる。このため、第１植生基材に木本植物や自生種や花や貴重種や絶滅危惧種などの第１植物の種を混入したり、第１植生基材として現地の森林土を用いたり、第１植生基材に第１植物の苗木を植栽したりし、第２植生基材に草本植物の種を混入することで、生育の早い草本植物に被圧されて第１植物の生育が阻害されるという不具合を効果的に防止できる。また、植生区画体の収容部に第１植生基材を吹き付け施工した後、植生区画体を蓋体で閉蓋した状態で、第２植生基材を吹き付けることで、第１植生基材に対して第２植生基材が混ざることを確実に防止できる。植生区画体を施工面の適正な位置に固定設置することで、木本植物を適正な間隔をあけて生育でき、しかも植生区画体の収容部に第１植生基材を吹き付けるので、収容部の開口面積及び深さを適正に設定することで、第１植生基材の吹き付け面積及び吹き付け深さを適正に設定することが可能となる。
【００１７】
ここで、前記植生区画緑化構造において、前記植生区画体として、４本のフレームと、これら４本のフレームを方形状に連結するヒンジとを備え、方形な枠状となした展開姿勢と、フレームを重ね合わせた折畳姿勢とに切り替え可能となしたものを用いること、前記隣接するフレームの端部に嵌合して植生区画体を展開姿勢に保持する固定具を着脱自在に設け、この固定具をアンカーピンで施工面に固定して、植生区画体を施工面に固定設置すること、前記第１植生基材で生育した植物の根が植生区画体の収容部外へ伸びるように、植生区画体に貫通孔及び／又は切欠部を形成すること、などが好ましい実施の形態である。
【発明の効果】
【００１８】
本発明に係る植生区画緑化工法及び植生区画緑化構造によれば、第１植生基材に対して第２植生基材が混ざることを確実に防止して、植生区画体の内側の領域を木本植物や自生種や花や貴重種や絶滅危惧種などの第１植物が生育する専用の領域として確保できる。また、施工面の適正な位置に植生区画体を固定設置することで、木本植物を適正な間隔をあけて生育できる。しかも、収容部の開口面積及び深さを適正に設定することで、第１植生基材の面積及び深さを適正に設定できる。そして、このように草本植物と第１植物とを適正に区分けして播種或いは植栽できるので、生育の早い草本植物に被圧されて第１植物の生育が阻害されるという不具合を効果的に防止することが可能となる。
【００１９】
本発明に係る植生区画体によれば、これを折畳姿勢にすることで、植生区画体の輸送や保管のためのスペースを少なくでき、しかも植生区画体を施工面へ運び入れて固定設置する際にも、嵩張らないので、施工作業を効率的に行うことができる。
【発明を実施するための最良の形態】
【００２０】
以下、本発明の実施の形態について図面を参照しながら説明する。
図１に示すように、植生区画緑化構造は、植物の生育に適さない不毛な硬質岩盤からなる傾斜地１２に施工した緑化基盤Ｂの上面（施工面）に、前後左右に相互に間隔をあけて植生区画体１６を固定設置して、植生区画体１６の収容部１６ａ内に第１植生基材１７を吹き付け施工した後、植生区画体１６を閉蓋した状態で保護網１５上に第２植生基材１８を吹き付け施工したものである。尚、図１は、植生区画緑化構造を施工した後、一定期間が経過して草本植物Ｓ及び木本植物Ｍが生育した状態を示すもので、植生区画緑化構造の施工当初は、これらの草本植物Ｓや木本植物Ｍは生育しておらず、第２植生基材１８及び第１植生基材１７に種子としてそれぞれ混入されている。
【００２１】
緑化基盤Ｂは、傾斜地１２に対して前後左右に相互に間隔をあけて複数の土留め材１３を固定設置し、この土留め材１３が埋設されるように傾斜地１２上に砂質土１４を吹き付け施工した後、砂質土１４の上側に保護網１５を敷設して施工されている。本実施の形態では、硬質地盤からなる傾斜地１２に直接的に緑化基盤Ｂを施工したが、硬質岩盤の上面にコンクリート又はモルタルなどの硬質層を形成してなる傾斜地に緑化基盤Ｂを施工することも可能である。また、Ｐｈ２〜３の酸性土壌からなる傾斜地や、山中式土壌硬度計で測定不能な硬度の傾斜地など、植物の生育に適さない不毛地に対しても、前述と同様に緑化基盤Ｂを施工し、その上に植生区画緑化構造を施工することができる。また、植物の生育に適した法面などの傾斜地に本発明を適用する場合には、緑化基盤Ｂを省略して、法面に対して直接的に或いは保護網１５を敷設してから、その上に植生区画緑化構造を施工することもできる。更に、植生区画緑化構造は、必ずしも傾斜地に限らず、平坦な土地に対しても施工できる。
【００２２】
土留め材１３としては、砂質土１４の流失を防止できるように構成されていれば、板状やパイプ状などの周知の構成のものを採用することができる。ここで、土留め材１３として、貯水可能な有底な中空部材からなる土留め材を用いた場合の一例について説明する。
【００２３】
図１〜図４に示すように、各土留め材１３は１対のアンカー材２０で傾斜地１２にそれぞれ固定されている。傾斜地１２に対する土留め材１３の配列は、任意に設定可能であるが、例えば、図２、図３に示すように、倒立Ｖ字状に固定した１対の土留め材１３を単位土留め手段２１として、この単位土留め手段２１を傾斜地１２に対して前後左右に相互に間隔をあけて千鳥掛け状に配置することができる。
【００２４】
土留め材１３としては、鉄系金属やアルミニウム合金等の金属材料、強化プラスチック材料または、エンジニアリングプラスチックス材料などの合成樹脂材料等を有底筒状に成形したものや、竹材や木材などを加工したものを採用できる。木材や竹材などの木質系材料で土留め材１３を構成すると、自然環境を保護できるので好ましく、特に、土留め材１３を竹材で構成する場合には、竹材を設定長さに切断した後、この竹材の下端の節２２を残して、他の節を除去することによって、上端に開口２３を有する有底筒状の土留め材１３を容易に製作することができるとともに、木材と比較して朽ち難く、土中において４〜５年間、朽ちることなくその強度を保持できるので好適に採用できる。また、間伐材などの木材を用いる場合には、木材を設定寸法に切断して、木材の中央部に長さ方向に沿って延びる有底孔を形成することで、土留め材１３を製作することになる。
【００２５】
土留め材１３の断面形状は、竹材を用いる場合には円形になるが、その他の素材を用いる場合には、円形や楕円形や多角形状など、任意の断面形状に形成することができる。土留め材１３の長さは、緑化基盤Ｂの施工面積にもよるが、０．５ｍ〜１．５ｍに設定でき、また土留め材１３の高さは、９０ｍｍ〜１５０ｍｍに設定できる。
【００２６】
土留め材１３の上端部は、図３に示すように、土留め材１３の長さ方向に対して角度θ１を付けて斜めに切断されている。長さ方向に直角に切断することも可能であるが、斜めに切断する方が上端開口２３の開口面積が大きくなって、雨水を取り込み易くなるので好ましい。また、このように斜めに切断した開口２３を山側へ向けて、傾斜地１２に対して土留め材１３を固定することで、土留め材１３内への雨水の取り込みが効率的になされることになる。長さ方向に対する開口２３の傾斜角度θ１は、傾斜地１２の傾斜方向に対する土留め材１３の傾斜角度θ２と略同じに設定され、傾斜地１２に固定した状態で開口２３が略水平に配置されるように構成されている。
【００２７】
土留め材１３の上端開口２３を閉塞するように土留め材１３の上端部にはフィルタ２４が設けられ、砂質土１４が土留め材１３の内部空間２５に入ることを阻止し、雨水のみがフィルタ２４を通って内部空間２５内へ取り込まれるように構成されている。フィルタ２４としては、木綿や椰子ガラ繊維などの天然繊維や、再生繊維や半合成繊維や合成繊維や無機繊維などの化学繊維をマット状に圧縮成形したものや、これらの繊維材からなる織布又は不織布からなるものや、金属メッシュを用いることができる。このフィルタ２４は、土留め材１３の上端部内に設けることも可能である。
【００２８】
傾斜地１２に対する土留め材１３の固定構造について説明すると、図３、図４に示すように、土留め材１３の上端近傍部と、節２２よりも下側の土留め材１３の下端部には貫通孔２６が形成され、土留め材１３は、両貫通孔２６にアンカー材２０をそれぞれ挿通させて、アンカー材２０を傾斜地１２に打ち込み固定することで、傾斜地１２に対して固定されている。このように構成することで、傾斜地１２に対する土留め材１３の取付強度を十分に確保できるとともに、アンカー材２０の挿通する部分にシールを施すことなく、十分な分量の雨水を長期にわたって貯留でき、貯水性能を低下させることなく土留め材１３の施工作業性を向上できる。尚、土留め材１３として竹材以外の素材からなるものを用いる場合には、中空パイプ状の土留め材１３の下端近傍部に仕切り壁を形成して、仕切り壁よりも下側において土留め材１３に貫通孔２６を形成することになる。
【００２９】
アンカー材２０としては、下端を先鋭に構成したステンレス製のアンカーピンを好適に採用できるが、パイプ状や細長い板状のものを採用することもできる。またアンカー材２０の素材は、ステンレスに限らず、炭素工具鋼、コーテッド超硬合金、ハイス等の金属、また、軽合金、セラミックス、プラスチック、硬質ゴム等を採用することもできる。
【００３０】
また、アンカー材２０の上端部が土留め材１３から上側へ突出しているので、アンカー材２０の上端部に保護網１５を係合させて、保護網１５の位置ズレを防止できるとともに、砂質土１４の吹き付け高さをアンカー材２０の上端部の突出具合で確認できるので、砂質土１４を適正分量だけ精度良く吹き付け施工することができる。
【００３１】
土留め材１３の節２２の近くには、図４に示すように、土留め材１３の内部空間２５に貯留した雨水で傾斜地１２を潅水するための潅水用小孔２７が形成されている。この潅水用小孔２７の直径は、大きすぎると貯留した雨水が短時間で排水されてしまい、潅水効果が十分に得られず、小さすぎると潅水量が少なくなりすぎて潅水効果が得られないことから、直径０．１ｍｍ〜４ｍｍに設定されている。また、潅水用小孔２７の個数が増えると単位時間あたりの潅水量が増えるので、潅水用小孔２７の直径は、潅水用小孔２７の個数に応じて設定することになる。
【００３２】
砂質土１４は、現地発生土と、水と、バインダーと、化学肥料と、カーボン粒子と、ベントナイトとを混合したものである。但し、現地発生土に代えて川砂や山砂を用いることもできる。バインダーとしては、各種セメント、石膏、その他有機系高分子物質等を採用できる。化学肥料としては、例えば窒素（Ｎ）、燐酸（Ｐ）、カリ（Ｋ）等の固形肥料、石灰（Ｃａ）、マンガン（Ｍｎ）、モリブデン（Ｍｏ）等の微量要素、その他各種の植生生育促進剤等を採用できる。カーボン粒子としては、木炭や竹炭などを利用できるが、間引きした竹を利用できることから竹炭を用いることが好ましい。砂質土１４を構成する各素材の配合比率は傾斜地１２の環境等に応じて任意に設定できる。砂質土１４の厚さは、土留め材１３の高さと略同じに設定され、例えば８０ｍｍ〜１５０ｍｍに設定されている。
【００３３】
保護網１５は、金網や合成樹脂網で構成でき、本発明では特に砂質土１４の上面に沿って容易に変形可能な比較的軟質な素材からなる金網や合成樹脂網を好適に利用できる。合成樹脂網としては、土木分野で広く用いられているジオテキスタイルのうち、ポリプロピレンやポリアミドなどの合成高分子材料を素材とする引張強度に優れたジオグリッドを採用できる。
【００３４】
植生区画体１６は、第１植生基材１７と第２植生基材１８とを区分けして施工するためのもので、図２、図１０、図１１に示すように、この植生区画体１６を保護網１５上に設定間隔おきに固定設置して、植生区画体１６の内側の収容部１６ａ内に第１植生基材１７を吹き付け施工してから、植生区画体１６に蓋体１９を閉蓋して、植生区画体１６の外側に第２植生基材１８を吹き付け施工することで、第１植生基材１７と第２植生基材１８とを区分けした状態で保護網１５上に施工できるように構成されている。
【００３５】
植生区画体１６は、第１植生基材１７と第２植生基材１８とを区分けして吹き付け可能な枠状に構成されていれば、円形や楕円形、長方形や正方形など任意の平面形状のものを採用できる。植生区画体１６の高さは、第１植生基材１７の吹き付け厚さと略同じに設定され、例えば３〜５ｃｍに設定されている。植生区画体１６の収容部１６ａの開口面積は、小さすぎると木本植物Ｍが草本植物Ｓに被圧されてその生育が遅くなり、大きすぎると持ち運び性が低下したり、木本植物Ｍが生育するまでの間における見栄え性が低下したりするので、０．５〜２．５ｍ2に設定することが好ましい。また、図２に示すように、前後方向及び左右方向に隣接する植生区画体１６の中心間距離Ｌ１、Ｌ２は、木本植物Ｍが適度な密度で生育するように３〜８ｍにそれぞれ設定することが好ましい。具体的には、植生区画体１６の高さを３ｃｍ、開口面積を１ｍ2、中心間距離を左右に５ｍ、前後に４ｍに設定することになる。植生区画体１６は、行列状に設置することもできるし、前後に隣接配置される植生区画体１６の左右方向の配設ピッチを左右方向に半ピッチずらして配置することもできる。
【００３６】
植生区画体１６の素材としては、鉄系金属やアルミニウム合金等の金属材料、強化プラスチック材料または、エンジニアリングプラスチックス材料などの合成樹脂材料等を用いることも可能であるが、木材や竹材などの木質系材料で構成すると、自然環境を保護できるので好ましい。植生区画体１６は、枠状に一体成形することも可能であるが、製作コストが高くなるので、複数のフレームに分割構成することが好ましく、複数のフレームを嵌合や釘や紐等により接合して使用することが好ましい。
【００３７】
特に、図５〜図９に示す植生区画体１６のように、４本のフレーム３０と、これら４本のフレーム３０を方形状に連結するヒンジ３１とを備え、方形な枠状となした図５に図示の展開姿勢と、フレーム３０を重ね合わせた図７に図示の折畳姿勢とに切り替え可能となしものを用いると、現地への輸送時や保管時、施工部位への持ち運び時などにおいて、植生区画体１６を小さく折り畳むことができるので好ましい。フレーム３０としては、自然環境を保護する目的で、木製のものを好適に採用できる。また、フレーム３０の下部に切欠部３２を形成したり、フレーム３０の高さ方向の途中部に貫通孔を形成したりして、植生区画体１６の収容部１６ａ内で生育した木本植物Ｍの根が、この切欠部３２や貫通孔を通じて外部へ伸びることができるように構成することが好ましい。ヒンジ３１としては、金物のヒンジを用いることもできるが、合成樹脂板の途中部に薄肉部を形成した、樹脂ヒンジで構成すると製作コストを低く抑えることができるので好ましい。
【００３８】
緑化基盤Ｂに対する植生区画体１６は固定構造としては、アンカーピンにより直接的に傾斜地１２に固定することもできるが、次のような構成の４つの固定具３３を展開姿勢の植生区画体１６の４つの角部に上方より嵌合固定し、この固定具３３の挿通孔３７にアンカーピン３６を挿通させて、アンカーピン３６を傾斜地１２に打ち込み固定することによって、保護網１５上に展開姿勢で固定設置できる。
【００３９】
固定具３３としては、図９に示すように、隣接するフレーム３０の端部にそれぞれ上方より嵌合する断面コ字状の固定部３４と、固定部３４の基部から外方へ突出する突出片３５とを有し、突出片３５にアンカーピン３６が挿通する挿通孔３７を形成したものを採用できる。この固定具３３は、図８に示す展開図のように、金属板を打ち抜いて一点鎖線で示す折り目に沿って該金属板を折り曲げることによって製作することもできるし、合成樹脂材料からなる成形品で構成することもできる。
【００４０】
蓋体１９としては、植生区画体１６の収容部１６ａを閉蓋可能なものであれば、金属製や合成樹脂製や木製等の任意の素材からなる板状部材を採用することが可能であるが、軽量且つ安価に製造できることから、方形状の合板で構成することが好ましい。植生区画体１６に対する蓋体１９の固定構造は、蓋体１９を植生区画体１６に対して着脱可能に固定できるものであれば、ゴム紐やゴムベルト、バックルなど任意の構成の固定具を採用できる。本実施の形態では、図６に示すように、２本の環状のゴム紐３８を、植生区画体１６に対角状に配置される２組の固定具３３の突出片３５にそれぞれ引っ掛けることによって、簡易に固定できるように構成されている。
【００４１】
第１植生基材１７は、緑肥と、木質破砕材と、木本植物Ｍの種子とを混合したものである。木本植物Ｍの種子としては、例えばコマツナギ、ヌルデ、シャリンバイ、トベラ、ヤマハギ等を採用できる。また、木本植物Ｍ以外に、自生種や花や貴重種や絶滅危惧種などの植物の種を混合することもできるし、種に代えて、第１植生基材１７の施工後に、これらの植物の苗木を植栽することも可能である。緑肥としては、例えばバーク堆肥、ピートモス、腐葉土等の各種植物系再生利用材を採用できる。植生基材１７を構成する各素材の配合比率は施工環境等に応じて任意に設定できる。また、第１植生基材１７として現地の森林土を用いることも可能である。
【００４２】
第２植生基材１８は、第１植生基材１７における木本植物Ｍの種子に代えて、草本植物Ｓの種子として、例えば芝生、メドハギ、ヨモギ、イタドリ、ススキ、クリーピングレッドフェスク等を混合したものである。但し、第１植生基材１７と第２植生基材１８とで、緑肥と、木質破砕材との配合割合を変えることも可能である。
【００４３】
次に、前記植生区画緑化構造の施工方法について説明する。
【００４４】
先ず、予め傾斜地１２に、図示外の削岩機により、図４に示すように、土留め材１３の取付位置に合わせてアンカー材２０を打ち込み固定するための固定孔３９を形成する。
【００４５】
次に、図２、図３に示すように、土留め材１３の開口２３が山側となり、潅水用小孔２７が傾斜地１２の上側となるように、土留め材１３の貫通孔２６にアンカー材２０を挿通させて、アンカー材２０を固定孔３９に打ち込み固定し、１対のアンカー材２０で傾斜地１２に対して土留め材１３を順次固定して、１対の土留め材１３をアンカー材２０で固定してなる倒立Ｖ字状の単位土留め手段２１を、傾斜地１２に対して上下左右に相互に間隔をあけて千鳥掛け状に固定する。
【００４６】
次に、図４に示すように、土留め材１３の略全体が覆われる程度に砂質土１４を吹き付け施工した後、砂質土１４に沿って保護網１５を敷設し、アンカー材２０の上端部に対して針金などにより保護網１５を係止させて、保護網１５を傾斜地１２に固定することになる。
【００４７】
こうして、傾斜地１２に対して緑化基盤Ｂを施工した後、図２、図１０に示すように、植生区画体１６を前後左右に対して相互に間隔をあけて保護網１５上に設置し、４つの固定具３３で各植生区画体１６を展開姿勢に保持するとともに、各固定具３３の挿通孔３７にアンカーピン３６を挿入して傾斜地１２に打ち込み固定し、４本のアンカーピン３６及び４つの固定具３３を用いて植生区画体１６を保護網１５上に固定設置する（設置工程）。
【００４８】
次に、図１０、図１２（ａ）に示すように、第１植生基材１７を各植生区画体１６の収容部１６ａに吹き付け施工（第１吹き付け工程）した後、図１１、図１２（ｂ）に示すように、収容部１６ａが閉蓋されるように、蓋体１９を植生区画体１６上にセットし、２本のゴム紐３８を、対角状に配置される固定具３３の突出片３５にそれぞれ引っ掛けて、蓋体１９を植生区画体１６に固定し、植生区画体１６の上面開口部を閉蓋する（閉蓋工程）。
【００４９】
こうして、植生区画体１６を閉蓋した状態で、図１１に示すように、植生区画体１６の外側の保護網１５上に第２植生基材１８を植生区画体１６と略同じ高さだけ施工する（第２吹き付け工程）。このとき、蓋体１９により収容部１６ａ内への第２植生基材１８の侵入が阻止され、収容部１６ａ内には第１植生基材１７だけが吹き付け施工された状態となる。
【００５０】
次に、第２植生基材１８の施工後、ゴム紐３８を外して、図１２（ｃ）に示すように、蓋体１９を植生区画体１６から取り外し（蓋除去工程）、植生区画体１６によって第１植生基材１７と第２植生基材１８とを区分けした状態に吹き付け施工して、植生区画緑化構造の施工を完了することになる。但し、予め蓋体１９を取り付けた植生区画体１６を保護網１５上に設置するか、あるいは保護網１５に植生区画体１６を設置した後、植生区画体１６に蓋体１９を取り付けて、蓋体１９を取り付けた植生区画体１６を保護網１５上に設置し、その後植生区画体１６の外側の保護網１５上に第２植生基材１８を吹き付け施工してから、蓋体１９を取り外して植生区画体１６の収容部１６ａ内に第１植生基材１７を吹き付け施工し、第１植生基材１７と第２植生基材１８とを区分けした状態に吹き付け施工することもできる。
【００５１】
このようにして施工された植生区画緑化構造では、第１植生基材１７に対して第２植生基材１８が混ざることを確実に防止して、植生区画体１６の内側を木本植物Ｍが生育する専用の領域として確保できる。また、植生区画体１６を傾斜地１２の適正な位置に固定設置することで、木本植物Ｍを適正な間隔をあけて植栽できる。しかも、植生区画体１６の収容部１６ａに第１植生基材１７を吹き付けるので、収容部１６ａの開口面積及び深さを適正に設定することで、第１植生基材１７の吹き付け面積及び吹き付け深さを適正に設定できる。そして、このように草本植物Ｓと木本植物Ｍとを適正に区分けして植栽できるので、生育の早い草本植物Ｓに被圧されて木本植物Ｍの生育が阻害されるという不具合を効果的に防止することが可能となる。
【００５２】
また、倒立Ｖ字状に配置された土留め材１３の上端部の開口２３から、雨水等が土留め材１３の内部空間２５に流入して土留め材１３内に貯留され、潅水用小孔２７を通って徐々に傾斜地１２に対して潅水がなされることになる。このため、保水力の小さい急傾斜地１２等であっても、土留め材１３により傾斜地１２に対して十分な潅水を行って、植物の生育を促進することができる。また、単位土留め手段２１を傾斜地１２に対して千鳥掛け状に設けているので、隣接する単位土留め手段２１の倒立ハ字状に配置された上側１対の土留め材１３により雨水が集められて、集めた雨水が下側の土留め材１３の開口部側へ案内され、しかも土留め材１３の上端の大きな開口２３を利用して、土留め材１３の内部空間２５に十分な量の雨水を充填することができるので、土留め材１３の内部空間２５に効率的に雨水を取り入れることが可能となる。更に、土留め材１３を倒立Ｖ字状に配置するので、隣接する単位土留め手段２１の土留め材１３間においては、砂質土１４の自重により、下側へ行くにしたがって砂質土１４が締め固められるので、急勾配の傾斜地１２であっても、雨水による砂質土１４の流失を効果的に抑制でき、ダム湖などの湛水法面に対して用いた場合でも、砂質土１４の流失を効果的に防止できる。
【００５３】
尚、前記実施の形態では、枠状の植生区画体１６を用いたが、図１３、図１４に示すように、ダンボールや厚紙などからなる箱状の植生区画体１６Ａを用いることもできる。この植生区画体１６Ａを用いて植生区画緑化構造を施工する際には、図１３（ａ）、図１４に示すように、予め第１植生基材１７を充填した植生区画体１６Ａを保護網１５の上側に固定設置してから、図１３（ｂ）、図１４に示すように、植生区画体１６の外側の保護網１５上に第２植生基材１８を吹き付け施工し、次に図１３（ｃ）に示すように、植生区画体１６の蓋体１９Ａを切り離して、第１植生基材１７を外部に露出させることになる。但し、保護網１５上に植生区画体１６Ａを設置してから、植生区画体１６Ａの内側に第１植生基材１７を吹き付けて、植生区画体１６Ａ内に第１植生基材１７を充填し、その後植生区画体１６Ａを閉蓋した状態で、第２植生基材１８を吹き付けてから、植生区画体１６から蓋体１９を切り離して、第１植生基材１７を外部に露出することも可能である。
【００５４】
また、前記実施の形態では、植生区画体１６をアンカーピン３６で傾斜地１２に対して固定したが、図１４に示すように、前後に配置される複数の植生区画体１６Ａを一定間隔をあけて紐体４０で連結し、緑化基盤Ｂの上側から植生区画体１６Ａを緑化基盤Ｂに沿って下側へ下げ降ろすことで、適正な前後方向位置に植生区画体１６Ａを設置できるように構成することも可能である。
【図面の簡単な説明】
【００５５】
【図１】植生区画緑化構造の縦断面図
【図２】単位土留め手段を施工した状態を示す傾斜地の正面図
【図３】単位土留め手段の正面図
【図４】基材を施工した状態における図３のIV-IV線縦断面図
【図５】植生区画体の分解斜視図
【図６】植生区画体に蓋部材を固定した状態を示す斜視図
【図７】植生区画体の折畳姿勢での斜視図
【図８】固定具の展開図
【図９】固定具及び植生区画体の要部分解斜視図
【図１０】第１植生基材の吹き付け方法の説明図
【図１１】第２植生基材の吹き付け方法の説明図
【図１２】（ａ）〜（ｃ）は植生区画緑化工法の説明図
【図１３】他の実施の形態の植生区画緑緑化工法の説明図
【図１４】同植生区画緑緑化工法の第２植生基材の吹き付け方法の説明図
【符号の説明】
【００５６】
Ｍ      木本植物          Ｓ      草本植物
Ｂ      緑化基盤
１２    傾斜地            １３    土留め材
１４    砂質土            １５    保護網
１６    植生区画体        １６ａ  収容部
１７    第１植生基材      １８    第２植生基材
１９    蓋体              ２０    アンカー材
２１    単位土留め手段    ２２    節
２３    開口              ２４    フィルタ
２５    内部空間          ２６    貫通孔
２７    潅水用小孔        ３０    フレーム
３１    ヒンジ            ３２    切欠部
３３    固定具            ３４    固定部
３５    突出片            ３６    アンカーピン
３７    挿通孔            ３８    ゴム紐
３９    固定孔            １６Ａ  植生区画体
１９Ａ  蓋部材            ４０    紐体
【図１】
2008057288.tif 000003
【図２】
2008057288.tif 000004
【図３】
2008057288.tif 000005
【図４】
2008057288.tif 000006
【図５】
2008057288.tif 000007
【図６】
2008057288.tif 000008
【図７】
2008057288.tif 000009
【図８】
2008057288.tif 000010
【図９】
2008057288.tif 000011
【図１０】
2008057288.tif 000012
【図１１】
2008057288.tif 000013
【図１２】
2008057288.tif 000014
【図１３】
2008057288.tif 000015
【図１４】
2008057288.tif 000016